(57)【要約】【課題】ビニル等の合成樹脂製の柔軟なフィルムで作られた傘袋を、携行と使用に便利なように改良した傘袋の収納体を提供しようとする。【解決手段】傘袋収納体を傘袋とこれを収容する容器とで構成し、傘袋は柔軟なフィルムで作られた直角四辺形の狭幅深底の袋を、幅方向を軸としてロール状に巻回して巻回体とし、容器は円筒とその両端を閉じる端板とからなり、内部に上記巻回体を収納できる円筒状の空間を備え、円筒の軸方向に延びる割目に沿って分割自在とされており、割目を開いて巻回体を出し入れ可能にした。【選択図】図１
2007151760.tif 000002
【特許請求の範囲】
【請求項１】
傘袋と傘袋を収容する容器とからなり、傘袋は軟質合成樹脂製のフィルムを直角四辺形の狭幅深底の袋にしたものであって、幅方向を軸としてロール状に巻回されて巻き戻し可能とされている巻回体からなり、上記容器は円筒とその両端を閉じる端板とからなり、内部に上記巻回体を収納できる円筒状の空間を備え、円筒が軸方向に延びる割目を備え、両端板が何れも上記割目に連なり直径方向に貫通する割目を備えて割目を開閉自在としており、割目を開いて巻回体を出し入れ可能にしていることを特徴とする傘袋収納体。
【請求項２】
巻回体が芯棒を含み、傘袋が芯棒の周りに巻回されており、端板が内側面の中心位置に芯棒を嵌入させる窪みを備えていることを特徴とする、請求項１に記載の傘袋収納体。
【請求項３】
容器が円筒の割目の中央部に沿って一様な幅に切欠されて隙間を備えており、隙間が傘袋を通過させるに足る大きさにされていることを特徴とする、請求項１又は２に記載の傘袋収納体。
【請求項４】
容器が割目の一方の内側に突起を備え、突起が割目の他方の内面に密接して係止可能とされていることを特徴とする、請求項１−３の何れか１つの項に記載の傘袋収納体。
【請求項５】
軟質合成樹脂として脂肪族ポリエステル樹脂、とくにポリ乳酸系樹脂を用い、これを押出機に入れて薄肉のチューブとし、チューブの一部を融着して底とした袋を傘袋にしたことを特徴とする、請求項１−４の何れか１つの項に記載の傘袋収納体。
【発明の詳細な説明】
【技術分野】
【０００１】
この発明は、傘袋収納体に関するものである。さらに詳しく云えば、この発明は、雨で濡れた傘を入れるための傘袋を容器内に収納した物であって、傘袋を携行と使用に便利なように改良した傘袋収納体に関するものである。
【背景技術】
【０００２】
雨で濡れた傘をそのまま建物内に持ち込むと、床を濡らして滑り易くしたり、衣服を濡らしたりして、自身が不快になるだけでなく他人に迷惑を掛ける。これを防ぐために、多くの人が出入りするデパートやホテルなどの限られた場所では、出入口に傘袋を設置し、濡れた傘を傘袋に入れるようにして、傘からの水が他物に付着することのないように配慮されている。傘袋としてはポリエチレンなどの柔軟な合成樹脂製フィルムを幅が狭くて底の深い直角四辺形の袋としたものが多く用いられている。
【０００３】
雨の日にバスや電車に乗るときには、濡れた傘が車内を滑り易くしたり、服を濡らしたりするので傘袋の必要が痛感される。ところが、バス停や電車の駅では傘袋を設置しておくことが困難である。従って、傘袋はこれを使用する各個人が用意するのが望ましい。しかし、傘袋を携行している人は殆ど見掛けない。その原因の１つは、傘袋が使用と携行に便利なように工夫されていないからである。
【０００４】
合成樹脂製の柔軟なフィルムで作られた傘袋を携行に便利にしようとする試みは、既に知られている。例えば、実開昭５９−１７１５１５号、実開昭６２−１３９３２１号、実開平６−４１５２８号公報は、何れも傘袋をティッシュペーパーのように方形に小さく折り畳んで、これを方形の箱又は外袋に入れ、携行に便利な形にすることを提案している。しかし、ティッシュペーパーのように小さく方形に折り畳んだ傘袋は、これを広げて傘を入れるのに厄介である。とくに傘袋は折り畳まれた状態に長く保持されると、重なり合った表面同士が密着するに至るとともに折り目が強く残っているので、傘を入れることが困難である。
【特許文献１】実開昭５９−１７１５１５号公報
【特許文献２】実開昭６２−１３９３２１号公報
【特許文献３】実開平６−４１５２８号公報
【０００５】
また、実用新案登録第３０５４１０５号公報は、同様に柔軟な傘袋を小さく方形に折り畳むこととしているが、傘袋の開口に相当する孔をあけた枠体を傘袋の開口に接着して、枠体の孔から傘を挿入することを提案している。この提案によれば、傘袋の開口が枠によって開いた状態にされているので、傘の挿入し始めは容易となる。ところが、この提案では、枠体が傘袋よりも広い面積を占めるため、傘袋全体は面積的に大きく広がったものとなり、嵩張るので携行に却って不便となる。また、傘袋の折り目を延ばして傘を挿入する必要があるため、袋への傘の挿入は矢張り困難である。
【特許文献４】実用新案登録第３０５４１０５号公報
【発明の開示】
【発明が解決しようとする課題】
【０００６】
上述のように傘袋を携行と使用に便利なように改良しようとする試みはあったが、何れも一長一短があった。そこで、この発明は、傘袋を携行に便利であるとともに使用に便利なように改良した傘袋収納体を提供しようとするものである。
【課題を解決するための手段】
【０００７】
この発明者は、上述の柔軟な傘袋を適当な芯体に巻回してロール状にしておき、使用の際に偏平な形状に容易に巻き戻すことができるようにして携行すると、傘を挿入するとき折り目を延ばす必要がなく、従って、傘の挿入が容易となることに着目した。また、ロール状に巻回しておくと、傘袋の嵩が小さくなって携行に便利となることに気付いた。また、傘袋をロール状に巻回するときには、必ずしも芯体を用いなくてもよいことに気付いた。この発明は、このような知見に基づいてなされたものである。
【０００８】
この発明は、傘袋と傘袋を収容する容器とからなり、傘袋は軟質合成樹脂製のフィルムを直角四辺形の狭幅深底の袋にしたものであって、幅方向を軸としてロール状に巻回されていて、巻き戻し可能とされている巻回体からなり、上記容器は円筒とその両端を閉じる端板とからなり、内部に上記巻回体を収納できる円筒状の空間を備え、円筒が軸方向に延びる割目を備えるとともに、両端板が上記割目に連なり直径方向に貫通する割目を備えて、割目を開閉自在にしており、割目を開いて巻回体を出し入れ可能にしていることを特徴とする傘袋収納体を提供するものである。
【発明の効果】
【０００９】
この発明では、傘袋は軟質合成樹脂製のフィルムを直角四辺形の狭幅深底の袋としたものであり、この袋を幅方向を軸としてロール状に巻回して巻回体としているから、袋は体積の小さい形態となっており、従って容器も小さな体積を持ったものとなり、携行に便利である。また巻回体の巻き戻しが可能となっているので、巻き戻して直ちに傘を挿入することができ、使用に便利である。さらに巻回体を巻き戻すと、傘袋には深さ方向に折目がないから、傘袋の開口から傘全体を容易に挿入することができる。
【００１０】
また、この発明では容器が内部に傘袋の巻回体を収納できる空間を備え、円筒が軸方向に延びる割目を備えるとともに端板が何れも上記の割目に連なり直径方向に貫通する割目を備え、割目を開閉自在にし、割目を開いて巻回体を出し入れ可能にしているから、通常は傘袋を容器で保護しており、従って傘袋が破れたり変形したりするおそれがなく、必要なときに割目を開いて直ちに傘袋を取り出すことができ、従って、傘袋の使用に便利である。この発明は、このような効果をもたらすものである。
【発明を実施するための最良の形態】
【００１１】
この発明を実施の一例につき、図面に基づいて説明すると、次のとおりである。図１は、この発明に係る傘袋収納体の分解斜視図である。図２は、この発明に係る他の傘袋収納体の断面図である。図３は、この発明で用いることのできる傘袋の一部切欠側面図である。図４は、この発明に係るさらに別の傘袋収納体の側面図である。図５は、この発明に係る傘袋収納体の特殊な使用態様を示した斜視図である。
【００１２】
図１において、この発明に係る傘袋収納体Ａは、傘袋の巻回体１と、巻回体１を収納する容器２とで構成されている。巻回体１は、軟質合成樹脂製のフィルムから成る袋１１をロール状に巻回したものである。袋１１は一様な幅Ｗを持ったチューブで構成されているが、偏平にされて帯状となり、長手方向の一端に開口１２を備え、長手方向の途中又は他端が閉じられて底（図１では現れていない）を形成しており、開口と底とが何れもチューブの長手方向に直角に延びていて、袋１１は直角四辺形を呈している。傘袋の幅Ｗは８〜１１ｃｍとされ、開口から底までの長さＬは６０〜１００ｃｍとされるから、開口から底までの長さＬは、幅Ｗに比べて５倍以上となっている。従って、傘袋は幅狭で深底の形状となっている。
【００１３】
図１における容器２は、内部に巻回体１を収納できる円筒状の空間２１を備えた円筒２２と、円筒２２の両端を閉じる端板２３と２４とで構成されている。円筒２２は軸方向に延びる割目２５を備え、また端２３と２４も割目２５に連なり直径方向に貫通する割目を備えている。割目２５と直径的に対向する円筒部分は薄肉にされて蝶番２９として働くものとされ、容器２は割目２５を自在に開き又は閉じることができるようになっている。
【００１４】
円筒２２の１つの半部２２１では、割目２５に沿った両端部分２２１１と２２１２とを残して、その余の中央部分が一様な幅Ｔだけ切欠されて隙間２６が形成されている。隙間２６は、袋１１を通過させるに足る大きさとされる。円筒２２の他の半部２２２では、割目２５に沿って両端の内側に突起２２２１と２２２２とが付設されている。突起２２２１と２２２２の外側面は、それぞれ両端部分２２１１と２２１２の内側面に密接する位置にあって、密接面の間には凹凸が付されて一時的に係止できるようにされている。
【００１５】
容器２の端板２３と２４との内面には、中心位置に中心突起が設けられている。中心突起は、図１では端板２３に設けた中心突起２３１が示されている。中心突起２３１は円柱状のもので、円筒２２の半部２２２がわだけに付設されており、円柱の半部が下側端板２３に固定され、残る円柱の半部が下側端板２３から突出している。中心突起２３１は、巻回体１の中心に設けられた孔１３に挿入されて、巻回体１を容器２内で回転させるのに役立っている。
【００１６】
図１に示した傘袋収納体は、容器２の割目２５を開いて巻回体１を容器２の空間２１内に入れ、巻回体１の孔１３に中心突起２３１を嵌め込んで、巻回体１を容器内に固定して割目２５を閉じる。こうして、巻回体１を容器２内に収納して容器２を携行し、必要なとき、割目２５を開いて巻回体１を取り出し、傘袋１１を巻き戻して使用する。その代わりに、巻回体１を容器２内に収納するとき、傘袋１１の開口１２がわの端を容器２の隙間２６から僅かに食み出させて容器２を閉じ、この状態で携行し、必要なとき容器２を閉じたまま隙間２６から食み出した袋の端を引張って、傘袋を容器２から取り出して使用することもできる。
【００１７】
図２に示した傘袋収納体Ｂは、傘袋１１の巻回体１を容器２内に収納して構成されている。巻回体１は、傘袋１１の幅方向を軸としてロール状に巻回して構成されている。容器２は、円筒２２と端板２３及び２４とで構成され、これらは何れも割目２５によって２つ割りにされ、円筒２２は半部２２１と２２２とに分離されている。割目２５に沿って隙間２６が形成され、巻回体１中の傘袋１１は隙間２６から取り出し可能とされている。これらの点では、図２に示した傘袋収納体Ｂは図１に示した傘袋収納体Ａと同じである。
【００１８】
傘袋収納体Ｂが傘袋収納体Ａと異なるのは、巻回体１において、芯棒１４が用いられ傘袋１１が芯棒１４の周りに巻回されている点である。また収納体Ｂが収納体Ａと異なるのは、芯棒１４を用いたことに対応して、容器２の端板２３と２４とが内面の中心位置に芯棒１４を嵌入させる窪み２７を付設している点である。窪み２７は何れも端板２３又は２４の割目２５に連なる位置に設けられているので、対向する窪み２７の間に延びる長さの芯棒１４を容易にさしわたすことができる。
【００１９】
傘袋収納体Ｂは巻回体１からの傘袋１１の端を隙間２６から容器２の外へ僅かに食み出させた状態で携行し、必要なとき食み出ている傘袋１１の端を摘んで傘袋を容器から取り出して使用する。
【００２０】
巻回体１としては、唯１個の傘袋を巻回しただけのものでもよいが、多数の傘袋を巻回することが好ましい。多数の傘袋を巻回するときは、図３に示したように、多数の傘袋が連結されていて、各傘袋１１の間に閉塞された底１５を形成し、その直後にミシン目１６を形成しておくことが好ましい。またさらにミシン目１６から長手方向に僅かな区間１７だけ一側を斜めに切欠し、ミシン目１６に近づくほど切欠の幅を大きくしたものを用いることが好ましい。このようにすると、ミシン目から切断したとき開口１２を大きく開くことができるので、傘が入れ易くなる。
【００２１】
また、容器２に隙間２６を設けるときは、図４に示したように、容器２の外面に隙間２６に接近してこれと平行にクリップ２８を設け、円筒２２とクリップ２８との間隙を傘袋１１の厚みに等しくして、隙間２６から食み出させた傘袋１１の端を容器２とクリップ２８との間に通して係止させておくことが好ましい。また、クリップ２８の稜線のうち、円筒２２に向かい且つ隙間２６から遠い方の稜線の先を尖鋭にして、ミシン目を稜線の先に当てて切断し易いようにすることが好ましい。また、クリップ２８の長さは隙間２６の長さより若干長くしておくことが好ましい。
【００２２】
容器は色々な材料で作ることができる。例えば、木材、金属、合成樹脂などで作ることができる。その中で、好ましい材料は、アクリル樹脂、ポリエチレンテレフタレート（ＰＥＴ）樹脂、ポリオレフィン樹脂のような硬質合成樹脂である。とくに図１に示したように半部２２１と２２２とを薄肉部で連結して一体とし、薄肉部に蝶番の働きをさせるにはポリプロピレン樹脂を用いて一体成形することが好ましい。また、図４に示したようにクリップ２８を付設するときは、ＰＥＴ又はポリプロピレン樹脂を材料として一体に成形することが望ましい。
【００２３】
傘袋１１としては、ポリエチレン樹脂、ポリプロピレン樹脂、軟質塩化ビニル樹脂、ＰＥＴ樹脂、脂肪族ポリエステル樹脂などを用い、この樹脂を押出機に入れて薄肉チューブを作り、チューブの一部を融着して閉塞底としたものを用いることができる。そのうちでも、脂肪族ポリエステル樹脂、とくにポリ乳酸系樹脂を用いて傘袋を作ると、使用後に傘袋を放置しても環境を害することがないというメリットがある。なぜならば、脂肪族ポリエステル樹脂、とくにポリ乳酸系樹脂は生分解性を持ち、日光又は細菌によって容易に分解されて、水と二酸化炭素のような無害なものとなるからである。ここで、ポリ乳酸系樹脂は、乳酸の単独重合体だけでなく、乳酸と他の不飽和な水酸基含有脂肪酸との共重合体を含んでいる。
【００２４】
この発明に係る傘袋収納体は図５に示すように、キャラクター形状の外被３に入れて携行することができる。外被３は、内部に丁度収納体Ａを収容するに足る空洞を備え、下端を開放し上端に孔３１を備えたものとし、傘袋収納体Ａを入れる際には、傘袋収納体Ａに付設した紐４を孔３１に通し、紐４を引張ることにより傘袋収納体Ａを外被３内に引き込むことが好ましい。外被３から傘袋収納体Ａを取り出す際には、傘袋収納体Ａの底部を摘んで傘袋収納体Ａを外被３から引き出す。こうして、この発明に係る傘袋収納体を好みに応じた愛らしいものとすることができる。
【図面の簡単な説明】
【００２５】
【図１】この発明に係る傘袋収納体の分解斜視図である。
【図２】この発明に係る他の傘袋収納体の縦断面図である。
【図３】この発明で用いることのできる傘袋の一部切欠側面図である。
【図４】この発明に係るさらに別の傘袋収納体の側面図である。
【図５】この発明に係る傘袋収納体の特殊な使用態様を示した斜視図である。
【符号の説明】
【００２６】
Ａ、Ｂ                傘袋収納体
１                    巻回体
２                    容器
３                    外被
４                    紐
１１                  傘袋
１２                  開口
１３、３１            孔
１４                  芯棒
１５                  底
１６                  ミシン目
１７                  斜めに切欠する区間
２１                  空間
２２                  円筒
２３、２４            端板
２５                  割目
２６                  隙間
２７                  窪み
２８                  クリップ
２９                  蝶番
２２１、２２２        円筒２２の半部
２３１                中心突起
２２１１、２２１２    端部
２２２１、２２２２    突起
【図１】
2007151760.tif 000003
【図２】
2007151760.tif 000004
【図３】
2007151760.tif 000005
【図４】
2007151760.tif 000006
【図５】
2007151760.tif 000007